(57)【要約】【課題】近年開発された薄型の分岐開閉器において，分岐回路の通電電流を検出する変流器を備え，該通電電流に応じた信号を外部に取り出すことが可能な２極回路遮断器を提供すること。【解決手段】電源端子から負荷端子に至る通電路に，可動接点を備えた可動接触子と，該可動接点と対をなし対向して固定接点を備えた固定接触子とからなる接点装置を設け，該接点装置を開閉動作する開閉機構と，過電流発生時においては前記開閉機構に作用し可動接点を開極させる引き外し手段とを備え，長手方向に分割されたカバーを対向するように設けて器体の外郭を構成した２極回路遮断器において，いずれかの極の通電路の一部を貫通挿入するように通電電流を検出するための変流器を設け，該通電電流に応じて出力される変流器の出力信号を遮断器外部に取り出す出力手段を器体に設けたことを特徴として２極回路遮断器を提供した。【選択図】図１   
2005276543.tif 000002
【特許請求の範囲】
【請求項１】
電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の通電路の一部を貫通挿入するように通電電流を検出するための変流器を設け，
該通電電流に応じて出力される変流器の出力信号を遮断器外部に取り出す出力手段を器体に設けたことを特徴とする２極回路遮断器。
【請求項２】
電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の前記負荷端子から接点装置に至る通電路の一部を貫通挿入するように通電電流を検出するための変流器を設け，
該通電電流に応じて出力される変流器の出力信号を遮断器外部に取り出す出力手段を器体に設けたことを特徴とする２極回路遮断器。
【請求項３】
前記出力手段は，器体に露望し，開閉機構に作用して可動接触子を開閉動作するハンドル操作部に臨んで負荷端子側に設けたことを特徴とする請求項１記載または請求項２記載の２極回路遮断器。
【請求項４】
電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の通電路の一部を貫通挿入するように通電電流を検出するための変流器を設け，
該通電電流に応じて出力される変流器の出力信号を遮断器外部に取り出す出力手段を器体内もしくは器体に露望した形で設け，前記出力手段は，少なくとも無線ＩＣタグを含んで構成されていることを特徴とする２極回路遮断器。
【請求項５】
電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の前記負荷端子から接点装置に至る通電路の一部を貫通挿入するように通電電流を検出するための変流器を設け，
該通電電流に応じて出力される変流器の出力信号を遮断器外部に取り出す出力手段を器体内もしくは器体に露望した形で設け，前記出力手段は，少なくとも無線ＩＣタグを含んで構成されていることを特徴とする２極回路遮断器。
【発明の詳細な説明】
【技術分野】
【０００１】
本発明は，器体の外郭が長手方向に分割されたカバーを対向するように設けて構成された，従来の２極回路遮断器に比べて遮断器の併設方向の幅が約半分に薄型化された２極回路遮断器に関し，特に，通電電流を検出する機能を設けた薄型の２極回路遮断器に関する。
【背景技術】
【０００２】
従来，安全ブレーカとして分電盤の分岐ブレーカとして広く用いられてきた２極回路遮断器において，電流を検出する変流器を備えたものとしては，特許文献１に記載されたものがあった。この変流器を備えた安全ブレーカとして用いられてきた回路遮断器の概略ブロック構造図を図７に示している。
【０００３】
その基本的な遮断器の構造としては，電源側端子７１ａ，７１ｂおよび負荷側端子７２ａ，７２ｂを持ち、これら各端子間は遮断部７３によって電気的に開閉される。また、電源側端子７１ｂおよび負荷側端子７２ｂ間には、バイメタルに代表される熱動素子またはオイルダッシュポットを持つ電磁式引き外し装置で構成された過電流検出素子７４が設けられ，この過電流検出素子７４で過電流や短絡電流等が分岐回路に流れるのが検出され、通電電流が分岐ブレーカ７の動作可能領域に入ると、遮断部７３は２極とも連動して遮断動作を行うものであった。
【０００４】
電流を検出する変流器については，電源側端子７１ｂおよび負荷側端子７２ｂ間に、分岐回路を流れる電流を検出する分岐変流器７５が設けられ，この分岐変流器７５の検出信号は、外部引出口７６を介してブレーカ外部に引き出され、リード線７７およびその先端に設けられたハーネス７８に導かれるよう構成されていた。なお，特許文献１においては，分岐ブレーカ全てに変流器を内蔵しているために，その信号検出において，ハーネス７８に導かれた分岐変流器７５の検出信号は、さらに共通線（コモン線）を有する各ハーネス線７９に導かれ、コネクタ８２，８３を介して第１の計測部プリント板８ａに入力されるよう構成してある。
【０００５】
【特許文献１】特開平２００１−１０３６２１号公報（第００２１項，第００２２項，第６図）
【発明の開示】
【発明が解決しようとする課題】
【０００６】
しかしながら，特許文献１に記載の分岐ブレーカは，従来から広く用いられてきた安全ブレーカタイプの２極回路遮断器であり，近年開発された従来の２極回路遮断器に比べて遮断器の併設方向の幅が約半分に薄型化された２極回路遮断器においても，通電電流を検出する変流器を備えた回路遮断器が望まれていた。
また，通常，分岐ブレーカは分電盤に複数配設されるものであり，特許文献１に記載されたように，全ての分岐ブレーカに分岐回路を流れる電流を検出する分岐変流器を設けた場合などには，その引き出し線が分電盤内に縦断し，多くの配線スペースを占有していしまい，配線作業が行いづらくなるといった課題があった。
また，回路遮断器の側面から引出し線を引き出しているために，回路遮断器の併設時において，引き出し線に過度な力がかかり，線の噛みこみによる断線のおそれがるという課題があった。。
また，回路遮断器から物理的に引き出し線を引き出しているために，引き出し線と引き出し線を経由して信号を受信する受信装置との間で，過電流や短絡時における遮断器の器体内の発熱に起因する要因やその他リード線の噛みこみによる信号線の絶縁性破壊による誤検出が発生し正確に信号が受信できなくなるといったおそれがあるという課題がある。
【０００７】
そこで本件の発明は，上述のような課題を解決するために，
近年開発された薄型の分岐開閉器において，分岐回路の通電電流を検出する変流器を備え，該通電電流に応じた信号を外部に取り出すことが可能な２極回路遮断器を提供することを目的としている。
また，該通電電流に応じた信号を外部に取り出すにあたり，分電盤内の配線作業性に影響を及ぼしにくく，なおかつ通電電流に応じた信号を外部に取り出す出力部と該出力部から出力される信号を受信する信号受信装置との絶縁性を確実に確保できる２極回路遮断器を提供することを目的としている。
【課題を解決するための手段】
【０００８】
以上のような課題を解決するために，請求項１の発明においては，電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の通電路の一部を貫通挿入するように通電電流を検出するための変流器を設け，
該通電電流に応じて出力される変流器の出力信号を遮断器外部に取り出す出力手段を器体に設けた
ことを特徴として２極回路遮断器を提供したものである。
【０００９】
請求項２の発明においては，電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の前記負荷端子から接点装置に至る通電路の一部を貫通挿入するように通電電流を検出するための変流器を設け，
該通電電流に応じて出力される変流器の出力信号を遮断器外部に取り出す出力手段を器体に設けた
ことを特徴として２極回路遮断器を提供したものである。
【００１０】
請求項３の発明においては，前記出力手段は，器体に露望し，開閉機構に作用して可動接触子を開閉動作するハンドル操作部に臨んで負荷端子側に設けた
ことを特徴として請求項１記載または請求項２記載の２極回路遮断器を提供したものである。
【００１１】
請求項４の発明においては，電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の通電路の一部を貫通挿入するように通電電流を検出するための変流器を設け，
該通電電流に応じて出力される変流器の出力信号を遮断器外部に取り出す出力手段を器体内もしくは器体に露望した形で設け，前記出力手段は，少なくとも無線ＩＣタグを含んで構成されている
ことを特徴として２極回路遮断器を提供したものである。
【００１２】
請求項５の発明においては，電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の前記負荷端子から接点装置に至る通電路の一部を貫通挿入するように通電電流を検出するための変流器を設け，
該通電電流に応じて出力される変流器の出力信号を遮断器外部に取り出す出力手段を器体内もしくは器体に露望した形で設け，前記出力手段は，少なくとも無線ＩＣタグを含んで構成されている
ことを特徴として２極回路遮断器を提供したものである。
【発明の効果】
【００１３】
第一の課題解決手段においては，
電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の通電路の一部を貫通挿入するように通電電流を検出するための変流器を設け，
該通電電流に応じて出力される変流器の出力信号を遮断器外部に取り出す出力手段を器体に設けた
ことを特徴として２極回路遮断器を提供したため，
近年開発された，従来の２極回路遮断器に比べて遮断器の併設方向の幅が約半分に薄型化された２極回路遮断器においても，分岐回路の通電電流を検出する変流器を備え，その通電電流に応じた信号を外部に取り出すことが可能な２極回路遮断器の提供が行えるという効果がある。
【００１４】
第二の課題解決手段においては，
電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の前記負荷端子から接点装置に至る通電路の一部を貫通挿入するように通電電流を検出するための変流器を設け，
該通電電流に応じて出力される変流器の出力信号を遮断器外部に取り出す出力手段を器体に設けた
ことを特徴として２極回路遮断器を提供したため，
近年開発された，従来の２極回路遮断器に比べて遮断器の併設方向の幅が約半分に薄型化された２極回路遮断器においても，分岐回路の通電電流を検出する変流器を備え，その通電電流に応じた信号を外部に取り出すことが可能な２極回路遮断器の提供が行えるという効果がある。
【００１５】
第三の課題解決手段においては，
前記出力手段は，器体に露望し，開閉機構に作用して可動接触子を開閉動作するハンドル操作部に臨んで負荷端子側に設けた
ことを特徴として請求項１記載または請求項２記載の２極回路遮断器を提供したため，
先の課題解決手段の効果に加えて，遮断器を併設して分電盤内に配設した場合においても信号の取り出しが容易に行えるとともに配線作業性に影響を及ぼしにくく，なおかつ電源部からの絶縁性を高められる２極回路遮断器の提供が行えるという効果がある。
【００１６】
第四の課題解決手段においては，
電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の通電路の一部を貫通挿入するように通電電流を検出するための変流器を設け，
該通電電流に応じて出力される変流器の出力信号を遮断器外部に取り出す出力手段を器体内もしくは器体に露望した形で設け，前記出力手段は，少なくとも無線ＩＣタグを含んで構成されている
ことを特徴として２極回路遮断器を提供したため，
近年開発された，従来の２極回路遮断器に比べて遮断器の併設方向の幅が約半分に薄型化された２極回路遮断器においても，分岐回路の通電電流を検出する変流器を備え，その通電電流に応じた信号を外部に取り出すことが可能で，しかも分電盤内の配線作業性に影響を及ぼしにくく，なおかつ通電電流に応じた信号を外部に取り出す出力部と該出力部から出力される信号を受信する信号受信装置との絶縁性を確実に確保できる２極回路遮断器の提供が行えるという効果がある。
【００１７】
第五の課題解決手段においては，
電源端子から負荷端子に至る通電路に，
可動接点を備えた可動接触子と，該可動接点と対をなし対向して固定接点を備えた固定接触子とからなる接点装置を設け，
該接点装置を開閉動作する開閉機構と，
過電流発生時においては前記開閉機構に作用し可動接点を開極させる引き外し手段とを備え，
長手方向に分割されたカバーを対向するように設けて器体の外郭を構成した２極回路遮断器において，
いずれかの極の前記負荷端子から接点装置に至る通電路の一部を貫通挿入するように通電電流を検出するための変流器を設け，
該通電電流に応じて出力される変流器の出力信号を遮断器外部に取り出す出力手段を器体内もしくは器体に露望した形で設け，前記出力手段は，少なくとも無線ＩＣタグを含んで構成されている
ことを特徴として２極回路遮断器を提供したため，
近年開発された，従来の２極回路遮断器に比べて遮断器の併設方向の幅が約半分に薄型化された２極回路遮断器においても，分岐回路の通電電流を検出する変流器を備え，その通電電流に応じた信号を外部に取り出すことが可能で，しかも分電盤内の配線作業性に影響を及ぼしにくく，なおかつ通電電流に応じた信号を外部に取り出す出力部と該出力部から出力される信号を受信する信号受信装置との絶縁性を確実に確保できる２極回路遮断器の提供が行えるという効果がある。
【実施例１】
【００１８】
以下に本件発明を図面を用いて詳細に説明する。
図１は本件発明の第一の実施例を示した２極回路遮断器の内部ブロック図を示したものである。
【００１９】
２極回路遮断器１は，電源側と負荷側を結ぶ方向を長手方向とした場合に，該長手方向において分割されたカバーａ１００ａとカバーｂ１００ｂとを対向させるように設けてその外郭，即ち器体が構成される。回路遮断器１を構成する各部品はこれらの分割されたカバーａ１００ａとカバーｂ１００ｂに挿み込まれるように収納される。
【００２０】
１０１ａ，１０１ｂは，分電盤に設けられる各分岐開閉器に電流を供給する母線や分岐線などから電流を供給される電源側端子である。
【００２１】
１０２ａ，１０２ｂは，負荷側電路に接続され，負荷機器に電流を供給する負荷側端子である。
【００２２】
１０３は，可動接点を備えた可動接触子１０３２と，該可動接点と対をなし対向して固定接点を備えた固定接触子１０３１とからなり電路を開閉する接点装置である。
【００２３】
１０４は，接点装置１０３を開閉動作する開閉機構部で，遮断器の器体に露望して配置される操作ハンドルにより接点装置を開閉動作させるリンク部材から構成される。
【００２４】
１０５は，過電流発生時などに開閉機構部１０４に作用し可動接点を開極させる引き外し手段で，過電流素子であるバイメタルや，電磁式引き外し装置により構成される。
【００２５】
１０６は，電路における通電電流を検出する変流器であり，通電電流に応じた出力信号を発生するものである。出力信号は，変流器１０６に設けられた引出し線により出力される。
【００２６】
１０７は，変流器１０６の出力信号を遮断器外部に取り出すための出力手段であり，遮断器の器体を構成しているカバーに信号取り出し部を設けている。
【００２７】
１０８は，各極をお互いに絶縁するための絶縁壁である。該絶縁壁はカバーに挿まれるよう配置され，遮断器の器体の一部として露望している。
【００２８】
本実施例で示した回路遮断器は，２極１素子型の回路遮断器で，電源端子１０１ｂ側が電源極側で，電源端子１０１ａが中性極側である。電源端子１０１ａ，１０１ｂはそれぞれ導体を介して接点装置１０３に接続され，接点装置からは，電源極側においては引き外し手段１０５を介して，負荷端子１０２ａ，１０２ｂに導体で接続されている。
【００２９】
変流器１０６は中性極側の導通路の一部を貫通挿入するように配設されている。変流器１０６が通電電流に応じて発生する出力信号は変流器に設けられた引き出し線により器体に設けられた信号出力手段１０７に導かれる。出力手段１０７は，接点装置１０３を構成する可動接触子を開閉動作するハンドル操作部に臨んで，器体の負荷端子側に設けられ，ここでは器体に引き出し線を引き出せる程度の孔を設けて構成している。引き出し線の器体外部側の先端には，引き出し線を中継するためのコネクタ端子が装着されている。
【００３０】
接点装置１０３の構成に着目した場合，本実施例においては電源端子１０１ａ，１０１ｂ側から見て，接点装置は固定接触子１０３１，可動接触子１０３２の順に並んでいるが，図２に示したように，接点装置の構成配置上，電源端子１０１ａ，１０１ｂ側から見て，接点装置は可動接触子１０３２，固定接触子１０３１の順で構成された回路遮断器であっても本発明は適用可能である。また，図３に示したように，電源端子１０１ｂと接点装置１０３との間に引き外し手段１０５を設けて，接点装置１０３の構成配置を，電源極側においては電源端子１０１ｂの側から可動接触子１０３２，固定接触子１０３１の順で配置し，中性極側においては電源端子１０１ａの側から固定接触子１０３１，可動接触子１０３２の順で配置構成された回路遮断器であっても同じく本発明は適用可能である。この他，各極における遮断器の接点装置，引き外し手段の種々の配置の順番についても常軌を逸脱しない範囲で本発明は適用可能である。
【００３１】
また，出力手段１０７として，回路遮断器１の器体に孔を設けて引き出し線を引き出すように構成しているが，器体に出力手段としてコネクタを設け，外部との信号の中継をコネクタを介して行うように構成してもよい。
【００３２】
次に，本発明を適用した回路遮断器の詳細について図４を用いて説明を行う。図４は本発明を適用した回路遮断器の構造図を示したものである。尚，前述の構成部品と意味合いが同様の部品には同一符号を付した。
【００３３】
遮断器の外郭，即ち器体は，電源側と負荷側を結ぶ方向を長手方向とした場合に，該長手方向において分割されたカバー１００ａとカバー１００ｂ及び，絶縁壁１０８から構成されている。回路遮断器を構成する各部品はこれらの分割されたカバーａ１００ａとカバーｂ１００ｂに挿み込まれるように収納される。１０９はハンドル操作部，１０３は接点装置，１１０は可動接点保持部材，１０４は開閉機構部，１０５は引き外し手段，１０６は変流器，１０２ａは負荷端子ａ，１０２ｂは負荷端子ｂ，１０１ａは電源端子ａ，１０１ｂは電源端子ｂを示している。またＡ側を電源側，Ｂ側を負荷側として説明を行う。
【００３４】
変流器１０６周辺を詳細に説明するため拡大し略分解したものを図５に示している。
【００３５】
可動接点保持部材１１０にはそれぞれ中性極側の可動接触子１０３２ａ，電源極側の可動接触子１０３２ｂが装着保持されて，各々の端部には可動接点が装着されている。またこれらの可動接触子と対をなし対向するように端部に固定接点を設けた固定接触子１０３１ａ，１０３１ｂが配設され，接点装置１０３を構成している。
可動接点保持部材１１０は，カバーａ１００ａ，カバーｂ１００ｂによって支持された可動接点保持部材１１０の略中心軸部分を中心に回動動作するものである。可動接触子１０３２ａと１０３２ｂは，該可動接点保持部材１１０の回動中心から互い違いに延出している。
【００３６】
接点装置１０３はリンク部材から構成される開閉機構部１０４を介して，ハンドル操作部１０９に接続されており，該ハンドル操作部１０９の操作によって手動により接点装置を開閉動作させることができる。
【００３７】
過電流発生時においては，過電流引き外し素子であるバイメタルを含んで構成された引き外し手段１０５が開閉機構部１０４に作用し，リンク部の平衡状態を崩し開閉機構部を動作させ，接点装置１０３の可動接触子１０３２ａ，１０３２ｂを開極させる。尚過電流引き外し素子としてはこのほか電磁素子を用いてもよい。
【００３８】
可動接触子１０３２ａは貫通導体１１１ａにより負荷端子１０２ａと接続されている。可動接触子１０３２ｂは導体１１１ｂにより電源端子１０１ｂと接続されている。また，固定接触子１０３１ｂは負荷端子１０２ｂの一部を延出させて設けてあり，固定接触子１０３１ａは導体１１１ｂにより電源端子１０１ｂと接続されている。
【００３９】
変流器１０６は，可動接触子１０３２ａと負荷端子１０２ａとの間に介在する貫通導体１１１ａを貫通するように配設されている。これにより中性極側を流れる通電電流，即ち本２極回路開閉器に流れる通電電流を検出できる。検出した電流，即ち通電電流に応じた出力は変流器１０６に設けられた引き出し線１０６１により変流器１０６から取り出すことが可能である。
【００４０】
回路遮断器の外部に変流器１０６からの出力を取り出す出力手段１０７を，ハンドル操作部１０９に臨んで負荷端子側で，遮断器を分電盤に配設したときに露望するハンドル操作部が設けられる面から一段下がった部分に孔を設けて構成している。該孔から引き出し線１０６１を引き出し，回路遮断器の外部に変流器１０６の出力信号を導く。このため，分電盤内において回路遮断器を併設して設けた場合においても，併設作業の妨げにならず引き出し線を容易に外部に引き出すことが可能である。また，引き出しが容易であるために，引き出し線には過度な力が加わらず断線のおそれがなくなる。
【００４１】
このように２極回路遮断器を構成したために，分岐回路の通電電流を検出する変流器を備え，その通電電流に応じた信号を外部に取り出すことが可能で，遮断器を併設して分電盤内に配設した場合においても信号の取り出しが容易に行えるとともに配線作業性に影響を及ぼしにくく，なおかつ電源部からの絶縁性を高められる２極回路遮断器の提供を行うことが可能である。
【００４２】
次に第二の実施例に係る出力手段を無線ＩＣタグを含んで構成した場合の例を示す。図６に第二の実施例に係る回路遮断器のブロック構成図を示している。
【００４３】
図４と同様に，遮断器の外郭，即ち器体は，電源側と負荷側を結ぶ方向を長手方向とした場合に，該長手方向において分割されたカバー１００ａとカバー１００ｂ及び，絶縁壁１０８から構成されている。回路遮断器を構成する各部品はこれらの分割されたカバーａ１００ａとカバーｂ１００ｂに挿み込まれるように収納される。１０９はハンドル操作部，１０３は接点装置，１１０は可動接点保持部材，１０４は開閉機構部，１０５は引き外し手段，１０６は変流器，１０２ａは負荷端子ａ，１０２ｂは負荷端子ｂ，１０１ａは電源端子ａ，１０１ｂは電源端子ｂを示している。６００は，変流器１０６の出力信号を遮断器外部に取り出すための出力手段であり，遮断器の器体内に設け，無線ＩＣタグ（Radio Frequency
Identification Tug）（以後ＲＦＩＤタグという）を用いて構成したものである。またＡ側を電源側，Ｂ側を負荷側として説明を行う。
【００４４】
先の実施例は，ＣＴからの引き出し線を回路遮断器の外部に引き出して，通電電流に応じて出力される変流器の出力信号を外部に設けられた受信装置にて受信する構成であるのに対し，本実施例においては，変流器に設けられた引き出し線を出力手段に接続し，遮断器の外部に設けられた，ＲＦＩＤリーダまたはＲＦＩＤリーダ／ライタを備える受信装置から，所要時に出力手段に設けられたＲＦＩＤタグに対して2.45GHz帯の電波を照射することで，該ＲＦＩＤタグから応答される応答信号を受信し，その受信信号から通電電流に相当する出力信号を得る。
【００４５】
出力手段６００に設けられたＲＦＩＤタグは，個別のＩＤ番号を有しており，信号データの中にＩＤ番号を含めて発信し，その発信元を特定できるようになっている。このため，分電盤における複数の分岐回路遮断器において，どの分岐回路遮断器から信号が送られてきたかを確実に把握することができる。受信装置の側において，分岐回路毎の出力信号を演算処理し，所望のデータに加工することで，分岐回路毎に統計的にデータを扱え，時系列的なデータ蓄積や，その時々における出力値を抽出するといったデータの扱いが行える。
【００４６】
出力手段６００には，変流器からの引き出し線を接続する接続部と，該変流器から発生される出力信号を増幅するためのアンプ部と，出力信号をＡ／Ｄ変換するためのＡ／Ｄ変換部と，これらアンプ部，Ａ／Ｄ変換部を駆動させるための電源を供給するためのＡＣ／ＤＣコンバータ部を設けて構成している。
【００４７】
出力手段から出力される電波の通信距離にあたっては，現在では電波法の規制に基づき，ＲＦＩＤタグで一般的に使用される13.56MHz帯では数十センチメートル程度，2.45GHz帯では1m程度であるため，分電盤の分岐回路数に応じて使用する周波数を変えて構成してもよい。現在のところ，規制緩和により通信距離が数メートル程度得られる950MHz前後（UHF帯）の周波数も使えるようになる見込みである。
【００４８】
尚，実施例では，アンプ部，Ａ／Ｄ変換部などの信号増幅部や変換部をＲＦＩＤタグとは別途設けたが，今後ＲＦＩＤタグにこれらアンプ部，Ａ／Ｄ変換部などの信号増幅部や変換部が搭載された場合には，出力手段６００の構成はより簡略化でき，電源供給部と，ＲＦＩＤタグにより出力手段を構成してもよい。
【００４９】
したがって，ＲＦＩＤタグの仕様に応じて，変流器から発生される出力信号を増幅するためのアンプ部や，出力信号をＡ／Ｄ変換するためのＡ／Ｄ変換部や，これらアンプ部，Ａ／Ｄ変換部を駆動させるためのＡＣ／ＤＣコンバータ部を必要に応じて設けた構成で出力手段を構成するとよい。
【００５０】
このように，出力手段６００にＲＦＩＤタグを含んで構成したために，第一実施例において引き出し線を用いる場合と比較して配線作業が不要となり，変流器から発生する信号をより簡易に外部に取り出すことができる。また，遮断器外部への引き出し線を用いないため，受信装置との間で確実な絶縁性を保つことができる。
【００５１】
次に，第二の実施例の変形実施例を示す。第二の実施例では，ＲＦＩＤリーダもしくはＲＦＩＤリーダ／ライタを備えた受信装置から所要時に電波を照射してその応答信号を得たが，受信装置から連続的に電波を照射して，連続的に応答信号を得てもよい。
【００５２】
以上のように，２極回路遮断器を構成したために，分岐回路の通電電流を検出する変流器を備え，その通電電流に応じた信号を外部に取り出すことが可能で，しかも分電盤内の配線作業性に影響を及ぼしにくく，なおかつ通電電流に応じた信号を外部に取り出す出力部と該出力部から出力される信号を受信する信号受信装置との絶縁性を確実に確保できる２極回路遮断器の提供が行える。
【００５３】
本実施例における出力手段６００にＲＦＩＤタグを備えた２極回路遮断器を，分岐開閉器として分電盤を構成した場合には，各々の分岐開閉器毎に，電流の情報を，絶縁性を保ったまま外部装置に取り出すことが可能である。出力手段の故障，サージ電流の回り込みなどに起因する，外部装置への不要信号の入力が防げ，正確な情報データの収集が行え，しかも，各々の分岐開閉器から外部装置に至る引き出し配線が不要であるため，分電盤内の配線の取り回しによる配線スペースが不要となり，分岐開閉器に接続する負荷回路への配線作業を容易に行うことが可能である。
【産業上の利用可能性】
【００５４】
２極回路遮断器において，通電電流を検出するための変流器をその器体内に設け，変流器からの出力信号を遮断器外部に取り出すことができるため，分電盤における回路全体の通電電流の監視や，分岐開閉器毎の通電電流の監視などへの応用が考えられる。
【図面の簡単な説明】
【００５５】
【図１】本件発明の第一の実施例を示した回路遮断器のブロック構成図。
【図２】本件発明の第一の実施例を示した回路遮断器のブロック構成図。
【図３】本件発明の第一の実施例を示した回路遮断器のブロック構成図。
【図４】本件発明の第一の実施例を示した回路遮断器の内部構造図。
【図５】本件発明の第一の実施例を示した回路遮断器の内部拡大図。
【図６】本件発明の第二の実施例を示した回路遮断器の内部構造図。
【図７】従来例の特許文献１を示した図。
【符号の説明】
【００５６】
１    ２極回路遮断器
１００ａ  カバーａ
１００ｂ  カバーｂ
１０１ａ  電源端子ａ
１０１ｂ  電源端子ｂ
１０２ａ  負荷端子ａ
１０２ｂ  負荷端子ｂ
１０３  接点装置
１０３１ａ  固定接触子ａ
１０３１ｂ  固定接触子ｂ
１０３２ａ  可動接触子ａ
１０３２ｂ  可動接触子ｂ
１０４  開閉機構部
１０５  引き外し手段
１０６  変流器
１０７  出力手段
１０８  絶縁壁
１０９  ハンドル操作部
１１０  可動接点保持部
１１１ａ  貫通導体ａ
１１１ｂ  導体ｂ
６００  出力手段
【図１】
2005276543.tif 000003
【図２】
2005276543.tif 000004
【図３】
2005276543.tif 000005
【図４】
2005276543.tif 000006
【図５】
2005276543.tif 000007
【図６】
2005276543.tif 000008
【図７】
2005276543.tif 000009